(57)【要約】  本発明は、歩行器フレーム（１０）の内側に部分的に配置されている歩行器用ワイヤ作動式リムブレーキのシステム（１）を記載している。システムは、歩行器の車輪の近傍、且つ歩行器フレーム（１０）の内側に配置されているブレーキハウジング（６）を備える。ハウジングは、車輪の回転軸に対して直角に向けられる進入開口部（１２）とスライド面（３）とを備える。システムは、また、ハウジング内に配置されているブレーキアセンブリ（２）を備える。ブレーキアセンブリは、ハウジング（６）の内側のスライド面（３）に沿ってスライドするように構成されているスライド部（４）と、スライド部（４）から直角の方向に伸びて、且つ進入開口部を通して突出しているブレーキ部（５）とを備える。システムは、歩行器の車輪の内側リムにおいて、車輪の回転軸と平行であるブレーキパス（１６）を備える。【選択図】  図６
2022501127.tif 000002
【特許請求の範囲】
【請求項１】
歩行器フレーム（１０）の内側に部分的に配置されている歩行器用ワイヤ作動式リムブレーキのシステム（１）であって、
前記歩行器の車輪の近傍、且つ前記歩行器フレーム（１０）の内側に配置されているブレーキハウジング（６）を備えており、
前記ブレーキハウジング（６）は、前記車輪の回転軸に対して直角に向けられる進入開口部（１２）とスライド面（３）とを備えており、
前記システム（１）は、
前記ブレーキハウジング（６）内に配置されているブレーキアセンブリ（２）を備えており、
前記ブレーキアセンブリ（２）は、
ブレーキの前記システム（１）が作動されるとき、前記ブレーキハウジング（６）の内側の前記スライド面（３）に沿ってスライドすると共に、前記進入開口部（１２）を通して位置に進入するように構成されているスライド部（４）と、
前記ブレーキアセンブリ（２）が前記ブレーキハウジング（６）の内側に配置されているとき、前記スライド部（４）から直角の方向に伸びて、且つ前記進入開口部（１２）を通して突出しているブレーキ部（５）と、
前記ブレーキ部（５）に固定されている、又は一体的に成形されているブレーキパッド（１５）とを備えており、
前記システム（１）は、
前記ブレーキアセンブリ（２）の移動を可能にするカバー隙（１１）を有するブレーキカバー（７）を備えており、
前記ブレーキカバー（７）は、前記ブレーキアセンブリ（２）を覆うと共に、前記歩行器フレーム（１０）に固定されており、
前記システム（１）は、
前記歩行器の前記車輪の内側リムにおいて、前記車輪の前記回転軸と平行であり、且つ前記車輪の前記回転軸と平行な方向において、スポークのような車輪構造から離れているブレーキパス（１６）を備えており、
ブレーキが作動されるとき、前記ブレーキパッド（１５）は、前記ブレーキパス（１６）と係合するように構成されており、
前記システム（１）は、
ブレーキレバー（１３）と接続しているブレーキワイヤ（１７）を備えており、
前記ブレーキワイヤ（１７）は、前記ブレーキアセンブリ（２）の前記スライド部（４）に固定されており、
前記ブレーキワイヤ（１７）に取り付けられているリターンスプリング（８）が、前記ブレーキパッド（１５）が前記ブレーキパス（１６）から離れるように予め張力を与える、ことを特徴とするシステム。
【請求項２】
前記ブレーキワイヤ（１７）は、前記歩行器フレーム（１０）の内側にあることを特徴とする、請求項１に記載のシステム。
【請求項３】
前記ブレーキレバー（１３）は、歩行器ハンドグリップに配置されていることを特徴とする、請求項１に記載のシステム。
【請求項４】
前方と後方のダート保護プレート（１４ａ，１４ｂ）は、
前記ブレーキ部（５）に固定されており、
前記ブレーキカバー（７）の下方にぴったり合い、且つダートが前記カバー隙（１１）に進入することを防ぐように構成されていることを特徴とする、請求項１に記載のシステム。
【請求項５】
アバンダンススプリング（１８）は、前記ブレーキレバー（１３）がハンドブレーキの位置に進入するために十分なアムビュレイアがワイヤストレッチにあることを確実にするため、ワイヤヘッド（１９）と前記スライド部（４）との間に取り付けられていることを特徴とする、請求項１に記載のシステム。
【請求項６】
請求項１に記載のシステムを備える歩行器の前記ブレーキハウジング（６）に前記ブレーキアセンブリ（２）を取り付けるための方法であって、
前記方法は、
前記進入開口部（１２）を通して前記ブレーキワイヤ（１７）を引くステップと、
前記ブレーキワイヤ（１７）と前記リターンスプリング（８）を前記スライド部（４）におけるマッチング構造に取り付けるステップと、
前記スライド部（４）を前記進入開口部（１２）を通して前記ブレーキハウジング（６）に向けて傾けるステップと、
前記ブレーキ部（５）が前記カバー隙（１１）を通して突出するように、前記ブレーキハウジング（６）と前記ブレーキカバー（７）を固定部（９ａ，９ｂ）により前記歩行器フレーム（１０）に取り付けるステップとを備える、ことを特徴とする方法。
【発明の詳細な説明】
【技術分野】
【０００１】
本発明は、フレーム内に隠れているリムブレーキを備える歩行器、及びブレーキアセンブリを歩行器フレームに取り付けるための方法に関する。
【背景技術】
【０００２】
歩行器は、高齢者、又は歩行に関する障害を有する人のための重要な補助器具である。ケーブル及び過剰な外部ブレーキ部品のアセンブリのような外側の阻害部品が少ないことだけでなく、安全操作と効果的なブレーキが重要である。特に、歩行器の下部における突出部品は、損傷又はもつれを生じ易い。
【０００３】
国際公開特許第２０１６１３７３２２号は、好ましくは、アセンブリの後方の上側に連続的に配置されているハンドル状のブラケットを備える歩行器台車アセンブリを開示している。このハンドル状のブラケットは、歩行器の位置の間において、回転可能に調整できる。ハンドル状のブラケットは、実質的に前側及び歩行器の位置に向けられている。この歩行器の位置において、ハンドル状のブラケットは、実質的に後側に向けられている。自由歩行空間は、歩行器の位置における歩行器台車アセンブリの車輪の間に設けられている。国際公開特許第２０１６１３７３２２号のブレーキシステムは、車輪の内周面において、リムと接触されるブレーキパッド／摩擦パッドを含む。
【０００４】
公知の歩行器は、ブレーキケーブルとブレーキアセンブリがフレームの外側にある外部ブレーキシステムを有する。このような外部部品は、阻害して、ダートを集めて、且つ歩行器のブレーキシステムの耐用期間を縮め得る。一部のブレーキシステムは、挿入又は変更することが不便である。また、歩行器の形状は、複数の過剰な外部部品により、あまり簡潔でない。
【０００５】
本発明の目的は、従来技術の利点を保ちながら、上述の課題の少なくとも１つに取り組む装置と方法を提供することである。
【発明の概要】
【０００６】
本発明は、歩行器フレームの内側に部分的に配置されている歩行器用ワイヤ作動式リムブレーキのシステムを説明している。このシステムは、歩行器の車輪の近傍、且つ歩行器フレームの内側に配置されているブレーキハウジングを備える。このブレーキハウジングは、車輪の回転軸に対して直角に向けられる進入開口部とスライド面を備える。
【０００７】
システムは、また、ブレーキハウジング内に配置されて、ブレーキのシステムが作動されるとき、ブレーキハウジングの内側のスライド面に沿ってスライドすると共に、進入開口部を通して位置に進入するように構成されているスライド部を備えるブレーキアセンブリを備える。ブレーキアセンブリは、また、ブレーキアセンブリがブレーキハウジングの内側に配置されているとき、スライド部から直角の方向に伸びて、進入開口部を通して突出するブレーキ部を備える。システムは、さらに、ブレーキアセンブリの移動を可能にするカバー隙を有するブレーキカバーを備える。このブレーキカバーは、ブレーキアセンブリのブレーキハウジングとスライド部を覆うと共に、歩行器フレームに固定されている。ブレーキのシステムは、さらに、歩行器の車輪の内側リムにおいて、車輪の回転軸と平行であるブレーキパス、及びブレーキアセンブリのブレーキ部に固定されて、且つブレーキレバーが作動されるとき、ブレーキパスと係合するように構成されているブレーキパッドを備える。ブレーキのシステムは、また、ブレーキレバーと接続しているブレーキワイヤを備える。ブレーキワイヤは、ブレーキアセンブリのスライド部に固定されている。ブレーキワイヤに取り付けられているリターンスプリングが、ブレーキパッドがブレーキパスから離れるように予め張力を与える。
【０００８】
別の態様において、本発明は、また、請求項６に記載のブレーキシステムを取り付けるための方法を備える。
【図面の簡単な説明】
【０００９】
本発明は、例示的な実施形態により、添付図面を参照して、以下に詳細に記載されている。異なる図面において、符号は、同じ特徴を説明する。
【図１】図１は、フレームの内側のブレーキ機構を備えるローラフレームの下方の部品を示す。
【図２】図２は、歩行器の車輪を含むフレームの下方の部品を示す。
【図３ａ】図３ａは、ブレーキアセンブリがフレームのブレーキハウジングに取り付けられる方法を示す。
【図３ｂ】図３ｂは、ブレーキアセンブリがフレームのブレーキハウジングに取り付けられる方法を示す。
【図３ｃ】図３ｃは、ブレーキアセンブリがフレームのブレーキハウジングに取り付けられる方法を示す。
【図３ｄ】図３ｄは、ブレーキアセンブリがフレームのブレーキハウジングに取り付けられる方法を示す。
【図４】図４は、ブレーキパッドが歩行器の車輪の内側リムにおけるブレーキパスと係合する歩行器の下方の部品を示す。
【図５】図５は、ブレーキパッドが歩行器の車輪の内側リムにおけるブレーキパスと係合する歩行器の下方の部品を示す。
【図６】図６は、ブレーキハウジング、ブレーキアセンブリ、スプリング、及びカバーを示す。
【図７】図７は、ブレーキパッドを備えるブレーキ部がブレーキカバーのカバー隙を通して突出している組み立てられた部品を示す。
【図８】図８は、ブレーキパッドを備えるブレーキ部がブレーキカバーのカバー隙を通して突出している組み立てられた部品を示す。
【図９】図９は、ブレーキカバーとブレーキアセンブリと共に、下方の部品の側面図を示す。
【図１０】図１０は、下方の部品の上方から見た断面図を示す。
【図１１】図１１は、車輪とブレーキレバーを除いたシステムの全体を示す。
【図１２】図１２は、内部機構、すなわちブレーキの主要機能を示す。
【図１３】図１３は、アバンダンススプリングを示す。
【図１４】図１４は、フレーム内に隠れているリムブレーキを備える歩行器を示す。
【発明を実施するための形態】
【００１０】
以下に、１つの車輪と１つのブレーキレバーのためのシステムを説明する。歩行器は、一般的に、それぞれの前輪と関連している２つのシステムを有する。
【００１１】
本発明は、歩行器フレーム１０の内側に部分的に配置されている歩行器用ワイヤ作動式リムブレーキのシステム１を記載している。このシステムは、歩行器の車輪の近傍、且つ歩行器フレーム１０の内側に配置されているブレーキハウジング６を備える。このハウジングは、車輪の回転軸に対して直角に向けられる進入開口部１２とスライド面３とを備える。システムは、また、ハウジング内に配置されているブレーキアセンブリ２を備える。このブレーキアセンブリは、スライド部４とブレーキ部５を備える。このスライド部は、ブレーキのシステムが作動されるとき、ハウジング６の内側のスライド面３に沿ってスライドすると共に、進入開口部を通して位置に進入するように構成されている。好ましくは、スライド部４は、ブレーキアセンブリがハウジングの内側に位置するとき、ハウジングのスライド面３と平行である側面を有する。ブレーキ部５は、ブレーキアセンブリがハウジングの内側に配置されているとき、スライド部４から直角の方向に突出して、且つ進入開口部を通して突出している。
【００１２】
システムは、また、ブレーキアセンブリの移動を可能にするカバー隙１１を有するブレーキカバー７を備える。このブレーキカバー（７）は、ブレーキアセンブリ２とハウジング６を覆うと共に、フレームに固定されている。システムは、さらに、歩行器の車輪の内側リムにおいて、車輪の回転軸と平行であるブレーキパス１６を備える。好ましくは、ブレーキパスは離れている。内側リムにおいて、ブレーキパス１６を有することの利点は、２つの相互作用面（ブレーキパスとブレーキパッド）を妨げるダートが少ないことである。ブレーキパッド１５は、ブレーキアセンブリのブレーキ部５に固定されている、又は一体的に成形されており、ブレーキレバー１３が作動されるとき、ブレーキパスと係合するように構成されている。ブレーキワイヤ１７は、ブレーキレバー１３と接続されている。ブレーキワイヤは、ブレーキアセンブリのスライド部に固定されている。また、ブレーキワイヤに装着されているリターンスプリング８は、ブレーキレバーが係合していないとき、ブレーキワイヤが予め張力を与えられて、且つブレーキパッドがブレーキパスから離れたままにするように、フレームとスライド部４との間に配置されている。
【００１３】
ブレーキは、図４〜５に示すリムブレーキである。図４〜５は、ブレーキパッドが、歩行器の車輪のリムの内側において、ブレーキパスと係合しているフレームの下方の部品を示す。ブレーキパッドアセンブリは、ブレーキレバーが作動されるとき、ブレーキハウジング６の内側のスライド面に沿ってスライドするように構成されている。この作動により、ハウジングの内側のブレーキワイヤの長さが小さくなると共に、ブレーキハウジング６内のリターンスプリング８が圧縮されるため、ブレーキパッド４は、車輪の内側リムにおいて、ブレーキパスと係合される。好ましくは、内側リムにおけるブレーキパスの表面は、車輪の平面に対して直交する。好ましくは、車輪のスポークは、車輪の回転軸と平行な方向において、ブレーキ部がスポークを妨げて、制御されたブレーキ作動よりも車輪の妨げを生じることを防ぐために十分な距離だけブレーキパスから離れている。
【００１４】
図３ａ〜３ｄにおいて、ブレーキアセンブリの取り付けを示す。ブレーキアセンブリ２、ブレーキハウジング６、及びブレーキカバー７の形状は、単純な取り付け方法を容易にする。ブレーキアセンブリは、進入開口部を通してブレーキワイヤを最初に引くステップと、ブレーキワイヤとリターンスプリングをスライド部４におけるマッチング構造に取り付けるステップにより、歩行器フレームのハウジング内に取り付けられる。複数の種類の構造は、産業において一般的であり、詳細に記載されない。次のステップでは、ブレーキアセンブリのブレーキ部をブレーキハウジング６の進入開口部１２を通してハウジングに向けて傾ける。ある実施形態において、このステップは、ハウジングがフレームから取り出されるとき、行われる。別の実施形態において、このステップは、フレーム１０の内側に配置されているハウジングにより行われる。したがって、ブレーキカバー７がブレーキアセンブリに取り付けられているため、ブレーキ部５はカバー隙１１を通して突出している。ブレーキカバー７とブレーキハウジング６は、固定部９ａ，９ｂによりフレーム１０に固定されている。好ましくは、固定部は、ブレーキカバーとハウジングの両方を同時に固定する。この取り付け方法は、ブレーキハウジングのプラスチック成形処理を簡略化して、且つブレーキアセンブリ２が強度と剛性を保つ構造上の利点を与える。
【００１５】
有利な実施形態において、前方と後方のダート保護プレート１４ａ，１４ｂは、スライド部と平行であるブレーキ部の下方の部品に固定されている。ダートプレート１４ａ，１４ｂは、スライド部が、ブレーキアセンブリ２が進入開口部１２を通して出る力を受けるとき、ダートが進入することを防いで、且つブレーキアセンブリの位置を保つように、ブレーキカバー７の下方にぴったり合い、ブレーキカバーの下側に沿ってスライドするように形成されている。
【００１６】
図６は、ブレーキハウジング６、ブレーキアセンブリ２、リターンスプリング８、及びブレーキカバー７を共に取り付けられる前の分離部品として示す。図７，８において、これらの組付けられた部品を示す。図示するように、ブレーキパッドを備えるブレーキ部がブレーキカバーのカバー隙１１を通して突出している。図９において、このブレーキ部を側面から示す。図８は、また、ブレーキハウジング６内に配置されているリターンスプリング８を示す。
【００１７】
図１０において、歩行器の下方の部品の上方から見た断面図を示す。図１０は、また、歩行器の車輪の内側リムにおいてブレーキパスと係合するブレーキパッド及び内部ブレーキ機構を示す。ブレーキワイヤは、歩行器フレーム１０の内側に配置され得る。また、図１４に示すように、ブレーキレバー１３は、歩行器のハンドグリップに配置されている。歩行器の全体構造を簡略化するため、ブレーキワイヤは、高さ調整機構を通過する場合、外部にあってもよい。
【００１８】
図１１，１２において、ブレーキの主要機能を示す。図１１は、車輪の内側リムにおいて、ブレーキパスを除いたブレーキシステム１の全体を示す。静止位置において、ワイヤストレッチは、リターンスプリング８が完全に伸びるために十分長い。また、ブレーキパッド１５は、リムにおいて、ブレーキパス１６から離れたままである。レバーが作動されるとき、ハウジングの内側のワイヤの長さが小さくなり、リターンスプリング８は圧縮されて、ブレーキパッド１５はブレーキパスと係合する。ブレーキパス１６は、好ましくは、外側被覆された熱可塑性エラストマから形成されている。この熱可塑性エラストマは、ブレーキパッドがブレーキパスに接触するとき、大きな摩擦を与える。
【００１９】
市場における競合する歩行器は、主に、ブレーキ力を車輪の表面の外側に作用する外側ブレーキ機構を有する。本発明によれば、ブレーキ機構は、ローラフレームの内側に隠れている。ブレーキ力は、車輪の内側リムのブレーキパスに作用される。
【００２０】
本発明は、ブレーキアセンブリが、歩行器フレームの内側のブレーキハウジング６内に配置されているスライド部４、及び機構部品を隠して、且つフレームの一体部品として現れるハウジングのためのブレーキカバー７を備えることにより、国際公開特許第２０１６１３７３２２号の従来技術と異なる。ブレーキカバー７はカバー隙を有する。ブレーキパッド１５を備えるブレーキ部５は、カバー隙を通して突出している。また、本発明によれば、ブレーキアセンブリのスライド部４は、ブレーキレバーが作動されるとき、ブレーキハウジング６の内側のスライド面３に沿ってスライドするように構成されている。この作動により、ハウジングの内側のフレームから伸びるワイヤ１７の長さは小さくなる。したがって、ハウジング内のリターンスプリングは、ブレーキパッドが車輪のブレーキパス１６と係合するまで、圧縮される。
【００２１】
図１３において、考えられる追加機能を示す。図１３は、ブレーキのアバンダンス制御を示す。このアバンダンス制御は、ワイヤからブレーキパッドに向かう動力伝達における追加の特徴である。アバンダンススプリング１８は、ワイヤの端部におけるワイヤヘッド１９とスライド部４との間に取り付けられる。
【００２２】
静止位置において、ワイヤストレッチは、リターンスプリング８が完全に張力を与えられるために十分長いと共に、ブレーキパッドが車輪のブレーキパスから離れたままにする。また、アバンダンススプリング１８は完全に伸びる。レバーが作動されるとき、ハウジングに向けて伸びるワイヤ１７の長さは小さくなり、ブレーキパッドが車輪と係合するまで、リターンスプリング８は圧縮される。ブレーキパッドがブレーキパスと完全に係合するとき、アバンダンススプリング１８は、必要であれば、レバーがハンドブレーキの位置に進入するために十分なアムビュレイアがワイヤストレッチにあることを確実にする。
【００２３】
本発明に記載の歩行器は、不要な突出する部品又は上方の部品がないことにより、有利である。ブレーキ機構は小型であり、スリムなフレームに組み込まれている。ブレーキパスを内側リムに配置することにより、使用者に快適さを与えるソフトな車輪を用いることができる。
【００２４】
本発明が、特定の実施例と実施形態を参照して説明されている一方、本発明の範囲は添付の請求項により定められる。
【符号の説明】
【００２５】
１  ワイヤ作動式リムブレーキのシステム
２  ブレーキアセンブリ
３  スライド面
４  スライド部
５  ブレーキ部
６  ブレーキハウジング
７  ブレーキカバー
８  リターンスプリング
９ａ，９ｂ  ブレーキカバーの固定部
１０  歩行器フレーム
１１  カバー隙
１２  進入開口部
１３  ブレーキレバー
１４ａ，１４ｂ  前方と後方のダート保護プレート
１５  ブレーキパッド
１６  ブレーキパス
１７  ブレーキワイヤ
１８  アバンダンススプリング
１９  ワイヤヘッド
【図１】
2022501127.tif 000003
【図２】
2022501127.tif 000004
【図３ａ−ｄ】
2022501127.tif 000005
【図４】
2022501127.tif 000006
【図５】
2022501127.tif 000007
【図６】
2022501127.tif 000008
【図７】
2022501127.tif 000009
【図８】
2022501127.tif 000010
【図９】
2022501127.tif 000011
【図１０】
2022501127.tif 000012
【図１１】
2022501127.tif 000013
【図１２】
2022501127.tif 000014
【図１３】
2022501127.tif 000015
【図１４】
2022501127.tif 000016
【国際調査報告】
2022501127.tif 000017
2022501127.tif 000018